(57)【要約】    【課題】係合部において回転及び／又はスライド可能な連結具を提供する。    【解決手段】  先端部（４１）と基部（４２）からなり、前記基部（４２）において紐状体（３）と接続している雄部材（４）と、先端部（５４，５５）と基部（５２）からなり、前記基部（５２）において紐状体（３）と接続している雄部材（５）からなる。前記雄部材の先端部（４１）の両側部には半球状の突起（４３，４４）が設けられている。前記雌部材の先端部（５４，５５）には、前記半球状の突起（４３，４４）が収容可能な窪み（５８，５９）が設けられている。前記突起（４３，４４）と前記窪み（５８，５９）が係脱可能である。【選択図】図２
2009056251.tif 000002
【特許請求の範囲】
【請求項１】
先端部（４１，４１Ａ，４１Ｂ，４１Ｃ）と基部（４２，４２Ａ，４２Ｂ，４２Ｃ）からなり、前記基部（４２，４２Ａ，４２Ｂ，４２Ｃ）において紐状体（３，３Ａ，３Ｂ，３Ｃ）と接続している雄部材（４，４Ａ，４Ｂ，４Ｃ）と、
先端部（５４，５５；５４Ａ，５５Ａ；５４Ｂ，５５Ｂ；５４Ｃ，５５Ｃ）と基部（５２，５２Ａ，５２Ｂ，５２Ｃ）からなり、前記基部（５２，５２Ａ，５２Ｂ，５２Ｃ）において紐状体（３，３Ａ，３Ｂ，３Ｃ）と接続している雌部材（５，５Ａ，５Ｂ，５Ｃ）からなり、
前記雄部材の前記基部（４２，４２Ａ，４２Ｂ，４２Ｃ）より細幅である先端部（４１，４１Ａ，４１Ｂ，４１Ｃ）の両側部には半球状の突起（４３，４４；４３Ａ，４４Ａ；４３Ｂ，４４Ｂ，４３Ｃ，４４Ｃ）が設けられ、
前記雌部材の先端部（５４，５５；５４Ａ，５５Ａ；５４Ｂ，５５Ｂ；５４Ｃ，５５Ｃ）には切り欠き部（５３，５３Ａ，５３Ｂ，５３Ｃ）が設けられ、この切り欠き部（５３，５３Ａ，５３Ｂ，５３Ｃ）に面する先端部壁に前記半球状の突起（４３，４４；４３Ａ，４４Ａ；４３Ｂ，４４Ｂ，４３Ｃ，４４Ｃ）が収容可能な窪み（５８，５９；５８Ａ，５９Ａ）が設けられており、
前記突起（４３，４４；４３Ａ，４４Ａ；４３Ｂ，４４Ｂ；４３Ｃ，４４Ｃ）と前記窪み（５８，５９；５８Ａ，５９Ａ）が係脱可能であることを特徴とする紐状体の連結具。
【請求項２】
前記窪み（５８，５９；５８Ａ，５９Ａ）が貫通孔（５６，５７，；５６Ａ，５７Ａ；５６Ｂ，５７Ｂ；５６Ｃ，５７Ｃ）の一部である請求項１記載の連結具。
【請求項３】
前記貫通孔（５６Ａ，５７Ａ；５６Ｂ，５７Ｂ；５６Ｃ，５７Ｃ）の前記窪み（５８Ａ，５９Ａ）が前記半球状の突起（４３Ａ，４４Ａ；４３Ａ，４４Ａ）よりも着脱方向に長く、そのため前記半球状の突起（４３Ａ，４４Ａ；４３Ａ，４４Ａ）が前記窪み（５８Ａ，５９Ａ）内でスライド可能である請求項１記載の連結具。
【請求項４】
前記貫通孔（５６Ｂ，５７Ｂ）に筋状の突起（５６１，５７１）が複数個設けられている請求項２又は３記載の連結具。
【請求項５】
前記貫通孔（５６Ｃ，５７Ｃ）を側面から見ると、孔の輪郭線が波形であり、そのため孔の幅に大小がある請求項２又は３記載の連結具。
【発明の詳細な説明】
【技術分野】
【０００１】
本発明は、紐状体の連結具に関する。紐状体としては、例えば、ベルト、テープ、ストラップ等があり、連結具としては、例えば、ベルト用バックル、カバン、ネックストラップ用の連結具等がある。
【背景技術】
【０００２】
この種の連結具は多種多様なものが知られている（例えば、下記特許文献１，２参照）。多くは雌雄の連結具を相互に係合させるようになっている。
【特許文献１】特開２００４−４２９２１
【特許文献２】特開２００４−５７４２５
【発明の開示】
【発明が解決しようとする課題】
【０００３】
従来技術における連結具の係合部は、係合個所において固定されて一直線になりやすい。しかし、この個所において旋回させたり、長さ方向にスライドさせることができれば、バックル部においてウエストサイズの微調整が可能なベルト、その他の新しい用途も開発することができる。本発明は、そのような新規な構造の紐状体の連結具を提供することを目的とする。
【課題を解決するための手段】
【０００４】
本発明請求項１の紐状体の連結具は、先端部と基部からなり、基部において紐状体と接続している雄部材と、先端部と基部からなり、基部において紐状体と接続している雌部材からなり、前記雄部材の前記基部より細幅である先端部の両側部には半球状の突起が設けられ、前記雌部材の先端部には切り欠き部が設けられ、この切り欠き部に面する先端部壁に前記半球状の突起が収容可能な窪みが設けられており、前記突起と前記窪みが係脱可能であることを特徴とする。
【０００５】
本発明請求項２の紐状体の連結具は、前記窪みが貫通孔の一部である。
【０００６】
本発明請求項３の紐状体の連結具は、前記貫通孔の前記窪みが前記半球状の突起よりも着脱方向に長く、そのため前記半球状の突起が前記窪み内でスライド可能である。
【０００７】
本発明請求項４の紐状体の連結具は、貫通孔に筋状の突起が複数個設けられている。
【０００８】
本発明請求項５の紐状体の連結具は、前記貫通孔を側面から見ると、孔の輪郭線が波形であり、そのため孔の幅に大小がある。
【発明の効果】
【０００９】
本発明では、係合部は、雄部材の半球状の突起と雌部材の半球状の窪みであるので、係合部を中心とする回動が極めて滑らかである。
【００１０】
請求項２の連結具では、雌部材の半球状の窪みを貫通孔の一部とすることにより、成形が容易になる。
【００１１】
請求項３〜５の連結具では、係合部分が紐状体の長手方向にスライド可能であり、長さ調節が可能となる。さらに、請求項４及び５の連結具では、スライド距離の微調整が可能である。
【発明を実施するための最良の形態】
【００１２】
本発明に係る連結具の雌雄部材はスナップ嵌めされるので、その両方又は片方は、プラスチック製であることが好ましいが、金属でもよい。
【００１３】
本発明の説明において、「半球」という用語を使用したが、厳密に半球でなくてもよく、雄部材のある程度の膨らみと、それに対応する雌部材の窪みでもよい。要するに、一定の力がかかったときに離脱が起こる程度の係合が達成されれば必要にして十分である。
【実施例１】
【００１４】
以下、添付の図面に基づき本発明の一実施例を説明する。
【００１５】
図１（ａ）は本発明に係る連結具２の連結前の状態の正面図であり、図１（ｂ）は連結状態の正面図である。
【００１６】
これらの図から分かるように、連結具２の係合部は、雄部材４と雌部材５からなる。
【００１７】
雄部材４は、先端部４１と基部４２からなり、基部４２において紐状体３と接続している。
【００１８】
先端部４１は、基部４２から突出する細幅部分であり、その両側部において半球状の突起４３，４４が外方へ延びている。
【００１９】
雌部材５も先端部と基部５２からなり、基部５２において紐状体３と接続している。
【００２０】
先端部には、雄部材の先端部４１とほぼ等しい幅の切り欠き部５３が設けられている。その切り欠き部５３の両側に位置する先端部５４，５５には貫通孔５６，５７が設けられている。貫通孔５６，５７の切り欠き部側の開口は半球状の窪み５８，５９となっている。
【００２１】
雌雄部材４，５を結合させるには、雄部材４の半球状突起４３，４４を雌部材５の半球状窪み５８，５９に押し込むだけでよい。雌雄部材を切り離すには、雄部材４の半球状突起４３，４４を雌部材５の半球状窪み５８，５９から外すだけでよい。
【００２２】
雌雄部材の結合状態では、図２（ｂ）に示すように、雌雄部材は結合部分を支点として自由回転することができる。従って、このネック紐状体は回動の自由度が大きい。
【実施例２】
【００２３】
図３（ａ）は本発明の実施例２の正面図である。（ｂ）は雌部材の側面図である。
【００２４】
実施例１と異なるのは、切り欠き部５３Ａの窪み５８Ａ，５９Ａが半球状の突起４３Ａ，４４Ａよりも着脱報告に長く、そのため半球状の突起が窪み内でスライド可能であることである。その他の点は実施例１と同様であるので、実施例１の符号に「Ａ」を加えて記し、説明を省略する。
【００２５】
この実施例によると、実施例１と同様に係合部において自由化移転ができるだけでなく、係合部分が紐状体の長手方向にスライド可能であり、長さ調節が可能となる。
【実施例３】
【００２６】
図４（ａ）は本発明の実施例３の正面図である。（ｂ）は雌部材の断面図である。
【００２７】
実施例１と異なるのは、雌部材の貫通孔５６Ｂ，５７Ｂに筋状の突起５６１、５７１が複数個設けられていることである。半球状の突起４３Ｂ，４４Ｂは、これらの筋状突起５６１、５７１とスライドしながら係合可能である。しかも、各突起において、仮固定されるため、実施例２と比べ、固定位置が安定する。その他の点は実施例１と同様であるので、実施例１の符号に「Ｂ」を加えて記し、説明を省略する。
【実施例４】
【００２８】
図５（ａ）は本発明の実施例４の正面図である。（ｂ）は雌部材の側面図である。
【００２９】
実施例１と異なるのは、雌部材の貫通孔５６Ｃ，５７Ｃは側面から見ると、孔の輪郭線が波形であり、そのため孔の幅に大小があることである。半球状の突起４３Ｃ，４４Ｃは、波形孔とスライドしながら係合可能である。しかも、孔の小幅部分において、仮固定されるため、実施例２と比べ、固定位置が安定する。その他の点は実施例１と同様であるので、実施例１の符号に「Ｃ」を加えて記し、説明を省略する。
【図面の簡単な説明】
【００３０】
【図１】（ａ）は本発明実施例に係る連結具２の連結前の状態の正面図であり、（ｂ）は連結状態の正面図である。
【図２】（ａ）（ｂ）は連結具２の連結状態の側面図である。（ｂ）は回転状態を仮想線で示している。
【図３】（ａ）は本発明の実施例２の正面図である。（ｂ）は雌部材の側面図である。
【図４】（ａ）は本発明の実施例３の正面図である。（ｂ）は雌部材の断面図である。
【図５】（ａ）は本発明の実施例４の正面図である。（ｂ）は雌部材の断面図である。
【符号の説明】
【００３１】
２       連結具
３，３Ａ，３Ｂ，３Ｃ        紐状体
４，４Ａ，４Ｂ，４Ｃ        雄部材
４１，４１Ａ，４１Ｂ，４１Ｃ            先端部
４２，４２Ａ，４２Ｂ，４２Ｃ            基部
４３，４４；４３Ａ，４４Ａ；４３Ｂ，４４Ｂ；４３Ｃ，４４Ｃ     半球状突起
５，５Ａ，５Ｂ，５Ｃ        雌部材
５４，５５；５４Ａ，５５Ａ；５４Ｂ，５５Ｂ；５４Ｃ，５５Ｃ         先端部
５２，５２Ａ，５２Ｂ，５２Ｃ          基部
５３，５３Ａ，５３Ｂ，５３Ｃ         切り欠き部
５６，５７；５６Ａ，５７Ａ；５６Ｂ，５７Ｂ；５６Ｃ，５７Ｃ     貫通孔
５８，５９；５８Ａ，５９Ａ    窪み
【図１】
2009056251.tif 000003
【図２】
2009056251.tif 000004
【図３】
2009056251.tif 000005
【図４】
2009056251.tif 000006
【図５】
2009056251.tif 000007